(57)【要約】【課題】過去の検査結果を利用可能とする。【解決手段】検査予約サーバ１は、診療所内システム２Ａの端末装置３Ａから患者及び検査条件を含む検査予約情報を受信した場合に、検査予約サーバ１内の過去の検査結果の中から検査予約情報に含まれる患者及び検査条件と同一の患者及び検査条件に対応する検査結果を検索する。そして、同一の患者及び検査条件に対応する検査結果が記憶されている場合に、検査予約サーバ１は、該当する検査結果が存在することを示す情報を端末装置３Ａに送信する。端末装置３Ａは、検査予約サーバ１から同一の患者及び検査条件に対応する検査結果が存在することを示す情報を受信した場合に、該当する検査結果が存在することを表示する。また、端末装置３Ａは、検査予約サーバ１から同一の患者及び検査条件に対応する検査結果を取得し、当該検査結果を表示する。【選択図】図１
2012089047.tif 000002
【特許請求の範囲】
【請求項１】
複数の医療施設のそれぞれに設けられた施設内システムと通信ネットワークを介してデータ通信可能に接続され、当該複数の施設内システムのそれぞれから他の施設内システムにおける検査の予約を受け付けて検査結果を管理する検査予約サーバであって、
前記受け付けた予約に係る検査の患者及び検査条件と当該検査条件に基づいて前記他の施設内システムにおいて行われた検査の検査結果とを対応付けて記憶する記憶手段と、
前記複数の施設内システムのうち一の施設内システムから前記通信ネットワークを介して患者及び検査条件を含む検査予約情報を受信した場合に、前記記憶手段に記憶されている検査結果の中から前記検査予約情報に含まれる患者及び検査条件と同一の患者及び検査条件に対応する検査結果を検索し、前記記憶手段に前記同一の患者及び検査条件に対応する検査結果が記憶されている場合に、前記通信ネットワークを介して前記同一の患者及び検査条件に対応する検査結果が存在することを示す情報を前記一の施設内システムに送信する制御手段と、
を備える検査予約サーバ。
【請求項２】
前記制御手段は、前記記憶手段に前記同一の患者及び検査条件に対応する検査結果が記憶されている場合に、前記一の施設内システムから前記通信ネットワークを介して前記同一の患者及び検査条件に対応する検査結果の取得要求を受信したときは、前記記憶手段から前記同一の患者及び検査条件に対応する検査結果を読み出し、当該読み出した同一の患者及び検査条件に対応する検査結果を前記一の施設内システムに前記通信ネットワークを介して送信する、
請求項１に記載の検査予約サーバ。
【請求項３】
複数の医療施設のそれぞれに設けられた施設内システムと、当該複数の施設内システムのそれぞれから他の施設内システムにおける検査の予約を受け付けて検査結果を管理する検査予約サーバと、が通信ネットワークを介してデータ通信可能に接続された検査予約システムであって、
前記検査予約サーバは、
前記受け付けた予約に係る検査の患者及び検査条件と当該検査条件に基づいて前記他の施設内システムにおいて行われた検査の検査結果とを対応付けて記憶する記憶手段と、
前記複数の施設内システムのうち一の施設内システムから前記通信ネットワークを介して患者及び検査条件を含む検査予約情報を受信した場合に、前記記憶手段に記憶されている検査結果の中から前記検査予約情報に含まれる患者及び検査条件と同一の患者及び検査条件に対応する検査結果を検索し、前記記憶手段に前記同一の患者及び検査条件に対応する検査結果が記憶されている場合に、前記通信ネットワークを介して前記同一の患者及び検査条件に対応する検査結果が存在することを示す情報を前記一の施設内システムに送信する制御手段と、
を備え、
前記一の施設内システムは、
表示手段と、
前記検査予約サーバから前記通信ネットワークを介して前記同一の患者及び検査条件に対応する検査結果が存在することを示す情報を受信した場合に、前記同一の患者及び検査条件に対応する検査結果が存在することを前記表示手段に表示させる制御手段と、
を備える検査予約システム。
【請求項４】
前記一の施設内システムは、前記同一の患者及び検査条件に対応する検査結果の取得要求を指示するための操作手段を備え、
前記一の施設内システムの制御手段は、前記操作手段から前記取得要求が指示された場合に、前記通信ネットワークを介して前記取得要求を前記検査予約サーバに送信し、
前記検査予約サーバの制御手段は、前記一の施設内システムから前記通信ネットワークを介して前記取得要求を受信した場合に、前記記憶手段から前記同一の患者及び検査条件に対応する検査結果を読み出し、当該読み出した同一の患者及び検査条件に対応する検査結果を前記一の施設内システムに前記通信ネットワークを介して送信し、
前記一の施設内システムの制御手段は、前記検査予約サーバから前記通信ネットワークを介して前記同一の患者及び検査条件に対応する検査結果を受信した場合に、前記同一の患者及び検査条件に対応する検査結果を前記表示手段に表示させる、
請求項３に記載の検査予約システム。
【発明の詳細な説明】
【技術分野】
【０００１】
本発明は、検査予約サーバ及び検査予約システムに関する。
【背景技術】
【０００２】
近年、医療の分野において、ＣＴ（Computed Tomography）等のモダリティによって撮影された医用画像はデジタルデータとして保存されている。新たに撮影して得られた画像と過去の画像とを比較する場合には、同じ撮影条件で撮影された画像同士であることが望ましいため、現在設定されている撮影条件と同一の撮影条件で撮影された過去の画像を検索して表示したり、今回撮影する画像の撮影条件を過去の画像と同一の撮影条件に設定したりすることが可能な医用画像検査装置が提案されている（特許文献１参照）。
【先行技術文献】
【特許文献】
【０００３】
【特許文献１】特開平９−８１６４６号公報
【発明の概要】
【発明が解決しようとする課題】
【０００４】
しかしながら、診療や検査等の情報は病院毎に管理されているため、病院内で行われた検査の結果は参照可能であるが、他病院で過去に行われた検査の内容を把握することはできなかった。このため、検査を行う際に、過去に他病院で同等の検査が行われたか否かは、患者の持っている情報に頼らざるを得なかった。また、他病院で検査が行われたことが分かったとしても、その検査結果を利用することはできない場合が多く、その場合には再度検査を行う必要があった。
このように、他病院で行った検査を再度行うことで、病院にも患者にも手間及び時間がかかり、また、患者に対する爆射、血液採取等による身体的負担、費用面での負担が増加するという問題があった。
【０００５】
本発明は、上記の従来技術における問題に鑑みてなされたものであって、過去の検査結果を利用可能とすることを課題とする。
【課題を解決するための手段】
【０００６】
上記課題を解決するために、請求項１に記載の発明は、複数の医療施設のそれぞれに設けられた施設内システムと通信ネットワークを介してデータ通信可能に接続され、当該複数の施設内システムのそれぞれから他の施設内システムにおける検査の予約を受け付けて検査結果を管理する検査予約サーバであって、前記受け付けた予約に係る検査の患者及び検査条件と当該検査条件に基づいて前記他の施設内システムにおいて行われた検査の検査結果とを対応付けて記憶する記憶手段と、前記複数の施設内システムのうち一の施設内システムから前記通信ネットワークを介して患者及び検査条件を含む検査予約情報を受信した場合に、前記記憶手段に記憶されている検査結果の中から前記検査予約情報に含まれる患者及び検査条件と同一の患者及び検査条件に対応する検査結果を検索し、前記記憶手段に前記同一の患者及び検査条件に対応する検査結果が記憶されている場合に、前記通信ネットワークを介して前記同一の患者及び検査条件に対応する検査結果が存在することを示す情報を前記一の施設内システムに送信する制御手段と、を備える。
【０００７】
請求項２に記載の発明は、請求項１に記載の検査予約サーバにおいて、前記制御手段は、前記記憶手段に前記同一の患者及び検査条件に対応する検査結果が記憶されている場合に、前記一の施設内システムから前記通信ネットワークを介して前記同一の患者及び検査条件に対応する検査結果の取得要求を受信したときは、前記記憶手段から前記同一の患者及び検査条件に対応する検査結果を読み出し、当該読み出した同一の患者及び検査条件に対応する検査結果を前記一の施設内システムに前記通信ネットワークを介して送信する。
【０００８】
請求項３に記載の発明は、複数の医療施設のそれぞれに設けられた施設内システムと、当該複数の施設内システムのそれぞれから他の施設内システムにおける検査の予約を受け付けて検査結果を管理する検査予約サーバと、が通信ネットワークを介してデータ通信可能に接続された検査予約システムであって、前記検査予約サーバは、前記受け付けた予約に係る検査の患者及び検査条件と当該検査条件に基づいて前記他の施設内システムにおいて行われた検査の検査結果とを対応付けて記憶する記憶手段と、前記複数の施設内システムのうち一の施設内システムから前記通信ネットワークを介して患者及び検査条件を含む検査予約情報を受信した場合に、前記記憶手段に記憶されている検査結果の中から前記検査予約情報に含まれる患者及び検査条件と同一の患者及び検査条件に対応する検査結果を検索し、前記記憶手段に前記同一の患者及び検査条件に対応する検査結果が記憶されている場合に、前記通信ネットワークを介して前記同一の患者及び検査条件に対応する検査結果が存在することを示す情報を前記一の施設内システムに送信する制御手段と、を備え、前記一の施設内システムは、表示手段と、前記検査予約サーバから前記通信ネットワークを介して前記同一の患者及び検査条件に対応する検査結果が存在することを示す情報を受信した場合に、前記同一の患者及び検査条件に対応する検査結果が存在することを前記表示手段に表示させる制御手段と、を備える。
【０００９】
請求項４に記載の発明は、請求項３に記載の検査予約システムにおいて、前記一の施設内システムは、前記同一の患者及び検査条件に対応する検査結果の取得要求を指示するための操作手段を備え、前記一の施設内システムの制御手段は、前記操作手段から前記取得要求が指示された場合に、前記通信ネットワークを介して前記取得要求を前記検査予約サーバに送信し、前記検査予約サーバの制御手段は、前記一の施設内システムから前記通信ネットワークを介して前記取得要求を受信した場合に、前記記憶手段から前記同一の患者及び検査条件に対応する検査結果を読み出し、当該読み出した同一の患者及び検査条件に対応する検査結果を前記一の施設内システムに前記通信ネットワークを介して送信し、前記一の施設内システムの制御手段は、前記検査予約サーバから前記通信ネットワークを介して前記同一の患者及び検査条件に対応する検査結果を受信した場合に、前記同一の患者及び検査条件に対応する検査結果を前記表示手段に表示させる。
【発明の効果】
【００１０】
本発明によれば、検査予約サーバにおいて、検査予約情報に含まれる患者及び検査条件と同一の患者及び検査条件に対応する検査結果が記憶されている場合に、同一の患者及び検査条件に対応する検査結果が存在することを示す情報を検査予約サーバから一の施設内システムに送信するので、一の施設内システムにおいて、過去の検査結果を利用することができる。
【図面の簡単な説明】
【００１１】
【図１】検査予約システムのシステム構成図である。
【図２】検査予約サーバの機能的構成を示すブロック図である。
【図３】検査ＤＢの例である。
【図４】診療所Ａ内の端末装置の機能的構成を示すブロック図である。
【図５】今回の検査の患者及び検査条件と一致する検査結果が存在しない場合の処理を示すラダーチャートである。
【図６】今回の検査の患者及び検査条件と一致する検査結果が存在する場合の処理を示すラダーチャートである。
【図７】今回の検査の患者及び検査条件と一致する検査結果が存在する場合の処理を示すラダーチャートである。
【発明を実施するための形態】
【００１２】
以下、図面を参照して本発明に係る検査予約システムの一実施形態について説明する。ただし、発明の範囲は、図示例に限定されない。
【００１３】
〔検査予約システムの構成〕
図１に、本実施の形態における検査予約システム１００のシステム構成を示す。
図１に示すように、検査予約システム１００は、地域のデータセンターに設置された検査予約サーバ１と、診療所Ａに設けられた診療所内システム２Ａと、病院Ｂに設けられた病院内システム２Ｂと、病院Ｃに設けられた病院内システム２Ｃと、を備えて構成されている。検査予約サーバ１、診療所内システム２Ａ、病院内システム２Ｂ、病院内システム２Ｃは、インターネット等の通信ネットワークＮを介してデータ通信可能に接続されている。
【００１４】
検査予約サーバ１は、医療施設間の医療連携サービスを提供するものであり、診療所内システム２Ａ等から病院内システム２Ｂ，２Ｃ等における検査の予約を受け付け、当該検査の結果を管理する。検査予約サーバ１は、予約に係る検査の患者、検査条件、当該検査条件に基づいて病院内システム２Ｂ，２Ｃ等において行われた検査の検査結果等を、検査ＤＢ（DataBase）１８（図３参照）により管理する。
【００１５】
診療所内システム２Ａは、端末装置３Ａ等がＬＡＮ（Local Area Network）等の施設内ネットワーク４Ａに接続されて構成されている。端末装置３Ａは、ルータ５Ａを介して通信ネットワークＮに接続され、通信ネットワークＮを介して検査予約サーバ１とデータ通信可能に接続されている。
【００１６】
病院内システム２Ｂは、端末装置３Ｂ、モダリティ６Ｂ及びＰＡＣＳ（Picture Archiving and Communication System）７ＢがＬＡＮ等の施設内ネットワーク４Ｂにより相互にデータ通信可能に接続されて構成されている。病院内システム２Ｂを構成する各装置は、ルータ５Ｂを介して通信ネットワークＮに接続される。病院内システム２Ｂを構成する装置のうち、少なくとも端末装置３Ｂは、ルータ５Ｂにより通信ネットワークＮを介して検査予約サーバ１とデータ通信可能に接続されている。
【００１７】
病院内システム２Ｃは、端末装置３Ｃ、モダリティ６Ｃ及びＰＡＣＳ７ＣがＬＡＮ等の施設内ネットワーク４Ｃにより相互にデータ通信可能に接続されて構成されている。病院内システム２Ｃを構成する各装置は、ルータ５Ｃを介して通信ネットワークＮに接続される。病院内システム２Ｃを構成する装置のうち、少なくとも端末装置３Ｃは、ルータ５Ｃにより通信ネットワークＮを介して検査予約サーバ１とデータ通信可能に接続されている。
【００１８】
なお、検査予約システム１００を構成する診療所内システム２Ａ、病院内システム２Ｂ、病院内システム２Ｃ等の施設内システム、各施設内システムの各装置の数は、特に限定されない。
【００１９】
〔検査予約サーバの構成〕
図２に、検査予約サーバ１の機能的構成を示す。
図２に示すように、検査予約サーバ１は、制御部１１、操作部１２、表示部１３、通信部１４、ＲＡＭ１５、記憶部１６等を備えて構成されており、各部はバス１７により接続されている。
【００２０】
制御部１１は、ＣＰＵ（Central Processing Unit）等から構成され、検査予約サーバ１の各部の処理動作を統括的に制御する。具体的には、ＣＰＵは、操作部１２から入力される操作信号又は通信部１４により受信される指示信号に応じて、記憶部１６に記憶されている各種処理プログラムを読み出してＲＡＭ１５に展開し、当該プログラムとの協働により各種処理を行う。
【００２１】
操作部１２は、カーソルキー、数字入力キー、及び各種機能キー等を備えたキーボードと、マウス等のポインティングデバイスを備えて構成され、キーボードに対するキー操作やマウス操作により入力された操作信号を制御部１１に出力する。
【００２２】
表示部１３は、ＬＣＤ（Liquid Crystal Display）等のモニタを備えて構成されており、制御部１１から入力される表示信号の指示に従って、各種画面を表示する。
【００２３】
通信部１４は、ネットワークインターフェース等により構成され、通信ネットワークＮを介して接続された外部機器との間でデータの送受信を行う。
【００２４】
ＲＡＭ１５は、制御部１１により実行制御される各種処理において、記憶部１６から読み出された各種プログラム、入力若しくは出力データ、及びパラメータ等を一時的に記憶するワークエリアを形成する。
【００２５】
記憶部１６は、ＨＤＤ（Hard Disk Drive）や半導体の不揮発性メモリ等により構成され、各種処理プログラム、当該プログラムの実行に必要なパラメータやファイル等を記憶している。
【００２６】
例えば、記憶部１６には、検査予約システム１００内の連携先の各医療施設の予約空き状況情報が記憶されている。予約空き状況情報は、医療施設に設置されている検査装置について、予約可能な日時を示す情報である。病院Ｂにおける予約空き状況情報は、病院内システム２Ｂの端末装置３Ｂから設定可能となっている。病院Ｃにおける予約空き状況情報は、病院内システム２Ｃの端末装置３Ｃから設定可能となっている。また、診療所内システム２Ａの端末装置３Ａ等から検査の予約が登録された場合には、登録された日時については予約空き状況情報の予約可能な日時から除かれる。
【００２７】
また、記憶部１６には、検査ＤＢ１８が記憶されている。図３に、検査ＤＢ１８の例を示す。検査ＤＢ１８には、検査依頼先の医療施設（病院名）、予約に係る検査の患者、検査日、検査条件及び検査結果が対応付けられて格納される。すなわち、検査ＤＢ１８では、予約に係る検査の患者及び検査条件と、当該検査条件に基づいて他の施設内システム（検査依頼先の医療施設）において行われた検査の検査結果とが対応付けられている。検査条件には、モダリティ、部位、撮影方向等が含まれる。なお、検査結果は、モダリティにより生成された医用画像データだけでなく、患者から採取された検体を分析して得られた検体検査データ等であってもよい。
【００２８】
制御部１１は、複数の施設内システムのうち一の施設内システム（例えば、診療所内システム２Ａ）から通信ネットワークＮを介して患者及び検査条件を含む検査予約情報を受信した場合に、検査ＤＢ１８に記憶されている検査結果の中から検査予約情報に含まれる患者及び検査条件と同一の患者及び検査条件に対応する検査結果を検索する。そして、制御部１１は、検査予約情報に含まれる患者及び検査条件と同一の患者及び検査条件に対応する検査結果が検査ＤＢ１８に記憶されている場合に、通信ネットワークＮを介して同一の患者及び検査条件に対応する検査結果が存在することを示す情報を一の施設内システムに送信する。
【００２９】
制御部１１は、検査予約情報に含まれる患者及び検査条件と同一の患者及び検査条件に対応する検査結果が検査ＤＢ１８に記憶されている場合に、一の施設内システムから通信ネットワークＮを介して同一の患者及び検査条件に対応する検査結果の取得要求を受信したときは、検査ＤＢ１８から同一の患者及び検査条件に対応する検査結果を読み出し、当該読み出した同一の患者及び検査条件に対応する検査結果を一の施設内システムに通信ネットワークＮを介して送信する。
【００３０】
〔診療所内システムの構成〕
端末装置３Ａは、検査予約サーバ１に対して他の医療施設における検査の予約を行う場合や、検査予約サーバ１の検査ＤＢ１８に記憶されている検査結果を参照する場合に用いられる。
【００３１】
図４に、端末装置３Ａの機能的構成を示す。
図４に示すように、端末装置３Ａは、制御部３１、操作部３２、表示部３３、通信部３４、ＲＡＭ３５、記憶部３６等を備えて構成されており、各部はバス３７により接続されている。
【００３２】
制御部３１は、ＣＰＵ等から構成され、端末装置３Ａの各部の処理動作を統括的に制御する。具体的には、ＣＰＵは、操作部３２から入力される操作信号又は通信部３４により受信される指示信号に応じて、記憶部３６に記憶されている各種処理プログラムを読み出してＲＡＭ１５に展開し、当該プログラムとの協働により各種処理を行う。
【００３３】
操作部３２は、カーソルキー、数字入力キー、及び各種機能キー等を備えたキーボードと、マウス等のポインティングデバイスを備えて構成され、キーボードに対するキー操作やマウス操作により入力された操作信号を制御部３１に出力する。
【００３４】
表示部３３は、ＬＣＤ等のモニタを備えて構成されており、制御部３１から入力される表示信号の指示に従って、各種画面を表示する。
【００３５】
通信部３４は、ネットワークインターフェース等により構成され、施設内ネットワーク４Ａや通信ネットワークＮを介して接続された外部機器との間でデータの送受信を行う。
【００３６】
ＲＡＭ３５は、制御部３１により実行制御される各種処理において、記憶部３６から読み出された各種プログラム、入力若しくは出力データ、及びパラメータ等を一時的に記憶するワークエリアを形成する。
【００３７】
記憶部３６は、ＨＤＤや半導体の不揮発性メモリ等により構成され、各種処理プログラム、当該プログラムの実行に必要なパラメータやファイル等を記憶している。
【００３８】
制御部３１は、通信部３４により、通信ネットワークＮを介して検査予約サーバ１に対し、検査依頼先の医療施設（病院名）、予約に係る検査の患者、検査日、検査条件を含む検査予約情報を送信する。
制御部３１は、通信部３４により、検査予約サーバ１から通信ネットワークＮを介して検査予約情報に含まれる患者及び検査条件と同一の患者及び検査条件に対応する検査結果が存在することを示す情報を受信した場合に、同一の患者及び検査条件に対応する検査結果が存在することを表示部３３に表示させる。
【００３９】
制御部３１は、操作部３２から検査予約情報に含まれる患者及び検査条件と同一の患者及び検査条件に対応する検査結果の取得要求が指示された場合に、通信部３４により、通信ネットワークＮを介して同一の患者及び検査条件に対応する検査結果の取得要求を検査予約サーバ１に送信する。
制御部３１は、通信部３４により、検査予約サーバ１から通信ネットワークＮを介して検査予約情報に含まれる患者及び検査条件と同一の患者及び検査条件に対応する検査結果を受信した場合に、同一の患者及び検査条件に対応する検査結果を表示部３３に表示させる。
【００４０】
〔病院内システムの構成〕
端末装置３Ｂは、ＰＡＣＳ７Ｂに記憶されている検査結果を参照する場合や、検査予約サーバ１に対して検査結果を送信する場合に用いられる。端末装置３Ｂは、図４に示した端末装置３Ａと同様の構成であるため、図示及び説明を省略する。
【００４１】
モダリティ６Ｂは、患者の診断対象部位を被写体として撮影を行い、撮影した画像をデジタル変換して医用画像を生成する画像生成装置である。モダリティ６Ｂとして、ＣＲ（Computed Radiography）、ＣＴ（Computed Tomography）等が挙げられる。
【００４２】
ＰＡＣＳ７Ｂは、制御部、操作部、表示部、通信部、ＲＡＭ、記憶部等を備えたコンピュータ装置であり、主として病院Ｂ内のモダリティ６Ｂ等により生成された医用画像データ、検体検査データ、読影レポート等の診療情報データを患者情報と対応付けて記憶部に格納する施設内サーバである。
【００４３】
病院内システム２Ｃを構成する端末装置３Ｃ、モダリティ６Ｃ及びＰＡＣＳ７Ｃについては、端末装置３Ｂ、モダリティ６Ｂ及びＰＡＣＳ７Ｂと同様であるため、説明を省略する。
【００４４】
〔検査予約システムにおける動作〕
次に、検査予約システム１００における動作について説明する。
【００４５】
まず、図５を参照して、検査予約サーバ１の検査ＤＢ１８に今回の検査の患者及び検査条件と一致する検査結果が存在しない場合について説明する。
診療所Ａに患者が来院し（ステップＤ１）、診療所Ａの医師による診察を受ける。そして、医師の判断により、診療所Ａ内の端末装置３Ａにおいて、検査予約サーバ１に対して病院内システム２Ｂにおける検査の予約が行われる（ステップＤ２）。具体的には、端末装置３Ａにおいて、制御部３１により、通信部３４が制御され、操作部３２から入力された検査依頼先の医療施設（病院Ｂ）、患者、検査日及び検査条件を含む検査予約情報が通信ネットワークＮを介して検査予約サーバ１に送信される。検査条件として、例えば、モダリティ、部位、撮影方向が「ＣＲ、胸部、正面及び側面」等と入力される。
【００４６】
検査予約サーバ１では、通信部１４により、端末装置３Ａから通信ネットワークＮを介して検査予約情報が受信されると、制御部１１により、検査ＤＢ１８に記憶されている過去の検査結果の中から、検査予約情報に含まれる患者及び検査条件と同一の患者及び検査条件に対応する検査結果が検索される（ステップＤ３）。検査ＤＢ１８に該当する検査結果、すなわち、検査予約情報に含まれる患者及び検査条件と同一の患者及び検査条件に対応する検査結果が記憶されていない場合には（ステップＤ４）、制御部１１により、検査予約情報に基づく検査予約が検査ＤＢ１８に登録され、予約が完了した旨の通知が通信ネットワークＮを介して端末装置３Ａに送信される（ステップＤ５）。登録された検査予約に係る検査予約情報は、制御部１１により、通信ネットワークＮを介して病院Ｂ（検査依頼先の医療施設）の病院内システム２Ｂに送信される。
【００４７】
診療所Ａ内の端末装置３Ａでは、通信部３４により、検査予約サーバ１から通信ネットワークＮを介して予約が完了した旨の通知が受信されると、制御部３１により、表示部３３に検査予約情報が表示される（ステップＤ６）。診療所Ａの医師は、表示部３３に表示されている検査予約情報を確認する。その後、患者は帰宅する（ステップＤ７）。
【００４８】
患者は、検査日に病院Ｂに来院し（ステップＥ１）、モダリティ６Ｂにより、検査予約情報に含まれる検査条件（モダリティ、部位、撮影方向等）に基づいて、患者の検査が行われる（ステップＥ２）。モダリティ６Ｂにより生成された検査結果は、端末装置３Ｂの操作部からの操作に基づいて、端末装置３Ｂの制御部により、通信ネットワークＮを介して検査予約サーバ１に送信される（ステップＥ３）。検査予約サーバ１では、通信部１４により、端末装置３Ｂから通信ネットワークＮを介して検査結果が受信され、当該検査結果は、制御部１１により、該当する検査依頼先の医療施設、患者、検査日及び検査条件と対応付けられて検査ＤＢ１８に格納される。その後、患者は帰宅する（ステップＥ４）。
【００４９】
後日、患者は診療所Ａに来院する（ステップＦ１）。診療所Ａ内の端末装置３Ａにおいて、診療所Ａの医師の操作部３２からの操作に基づいて、制御部３１により、通信部３４が制御され、病院Ｂ（病院内システム２Ｂ）において行われた検査の検査結果の取得要求が通信ネットワークＮを介して検査予約サーバ１に送信される（ステップＦ２）。
【００５０】
検査予約サーバ１では、通信部１４により、端末装置３Ａから通信ネットワークＮを介して病院Ｂにおいて行われた検査の検査結果の取得要求が受信されると、制御部１１により、検査ＤＢ１８から該当する検査結果が読み出され、読み出された検査結果が通信ネットワークＮを介して端末装置３Ａに送信される（ステップＦ３）。
【００５１】
診療所Ａ内の端末装置３Ａでは、通信部３４により、検査予約サーバ１から通信ネットワークＮを介して病院Ｂにおいて行われた検査の検査結果が受信されると、制御部３１により、表示部３３に検査結果が表示される（ステップＦ４）。診療所Ａの医師は、表示部３３に表示されている検査結果を見て、診断を行う（ステップＦ５）。その後、患者は帰宅する（ステップＦ６）。
【００５２】
次に、図６及び図７を参照して、検査予約サーバ１の検査ＤＢ１８に今回の検査の患者及び検査条件と一致する検査結果が存在する場合について説明する。
この患者は、診療所Ａ以外の他の診療所からの検査予約に基づいて、病院Ｃにおいて検査を受けている。具体的には、患者は、検査日に病院Ｃに来院し（ステップＧ１）、モダリティ６Ｃにより、検査予約情報に含まれる検査条件（モダリティ、部位、撮影方向等）に基づいて、患者の検査が行われる（ステップＧ２）。モダリティ６Ｃにより生成された検査結果は、端末装置３Ｃの操作部からの操作に基づいて、端末装置３Ｃの制御部により、通信ネットワークＮを介して検査予約サーバ１に送信される（ステップＧ３）。検査予約サーバ１では、通信部１４により、端末装置３Ｃから通信ネットワークＮを介して検査結果が受信され、当該検査結果は、制御部１１により、該当する検査依頼先の医療施設、患者、検査日及び検査条件と対応付けられて検査ＤＢ１８に格納される。その後、患者は帰宅する（ステップＧ４）。
【００５３】
その後、診療所Ａに患者が来院し（ステップＨ１）、診療所Ａの医師による診察を受ける。そして、医師の判断により、診療所Ａ内の端末装置３Ａにおいて、検査予約サーバ１に対して病院内システム２Ｂにおける検査の予約が行われる（ステップＨ２）。具体的には、端末装置３Ａにおいて、制御部３１により、通信部３４が制御され、操作部３２から入力された検査依頼先の医療施設（病院Ｂ）、患者、検査日及び検査条件を含む検査予約情報が通信ネットワークＮを介して検査予約サーバ１に送信される。
【００５４】
検査予約サーバ１では、通信部１４により、端末装置３Ａから通信ネットワークＮを介して検査予約情報が受信されると、制御部１１により、検査ＤＢ１８に記憶されている過去の検査結果の中から、検査予約情報に含まれる患者及び検査条件と同一の患者及び検査条件に対応する検査結果が検索される（ステップＨ３）。検査ＤＢ１８に該当する検査結果、すなわち、検査予約情報に含まれる患者及び検査条件と同一の患者及び検査条件に対応する検査結果が記憶されている場合には（ステップＨ４）、制御部１１により、該当する検査結果が存在することを示す情報と、当該過去の検査に関する情報（以下、過去検査情報という。）と、が通信ネットワークＮを介して端末装置３Ａに送信される（ステップＨ５）。過去検査情報には、過去の検査が行われた検査日、検査条件、医療施設等が含まれる。
【００５５】
診療所Ａ内の端末装置３Ａでは、通信部３４により、検査予約サーバ１から通信ネットワークＮを介して該当する検査結果が存在することを示す情報及び過去検査情報が受信されると、制御部３１により、表示部３３に同一の患者及び検査条件に対応する検査結果が存在することが表示される（ステップＨ６）。例えば、表示部３３に「胸部（正面）を○月×日に撮影しています」、「胸部（側面）を○月×日に撮影しています」等と表示される。
【００５６】
図７に移り、医師の操作部３２からの操作により、過去検査を参照するか否かが選択される（ステップＨ７）。過去検査を参照する場合（ステップＨ７；ＹＥＳ）、すなわち、操作部３２から検査予約情報に含まれる患者及び検査条件と同一の患者及び検査条件に対応する検査結果の取得要求が指示された場合に、制御部３１により、通信部３４が制御され、同一の患者及び検査条件に対応する検査結果（病院Ｃ（病院内システム２Ｃ）において行われた検査の検査結果）の取得要求が通信ネットワークＮを介して検査予約サーバ１に送信される（ステップＨ８）。例えば、表示部３３に表示されている「○月×日胸部（正面）」、「○月×日胸部（側面）」等の過去検査の中から、操作部３２からの操作により、いずれかの検査が参照対象として選択されると、制御部３１により、その検査結果の取得要求が検査予約サーバ１に送信される。
【００５７】
検査予約サーバ１では、通信部１４により、端末装置３Ａから通信ネットワークＮを介して同一の患者及び検査条件に対応する検査結果の取得要求が受信されると、制御部１１により、検査ＤＢ１８から同一の患者及び検査条件に対応する検査結果が読み出され、読み出された検査結果が通信ネットワークＮを介して端末装置３Ａに送信される（ステップＨ９）。
【００５８】
診療所Ａ内の端末装置３Ａでは、通信部３４により、検査予約サーバ１から通信ネットワークＮを介して同一の患者及び検査条件に対応する検査結果が受信されると、制御部３１により、表示部３３に同一の患者及び検査条件に対応する検査結果が表示される（ステップＨ１０）。次いで、医師の操作部３２からの操作により、他の過去検査を参照するか否かが選択される（ステップＨ１１）。他の過去検査を参照する場合には（ステップＨ１１；ＹＥＳ）、ステップＨ８に戻り、同様の処理が繰り返される。
【００５９】
ステップＨ１１において、他の過去検査を参照しない場合（ステップＨ１１；ＮＯ）（他の過去検査が存在しない場合も含む。）、又は、ステップＨ７において、過去検査を参照しない場合には（ステップＨ７；ＮＯ）、医師の操作部３２からの操作により、検査予約を続行するか否かが選択される（ステップＨ１２）。例えば、表示部３３に表示される画面上に「予約続行」ボタン及び「予約中断」ボタンが表示され、いずれかのボタンが押下される。表示部３３に表示された過去の検査結果で診断可能であれば、操作部３２から検査予約を中断する旨の指示が入力され（「予約中断」ボタンが押下される等）（ステップＨ１２；ＮＯ）、医師は診断を行う（ステップＨ１３）。その後、患者は帰宅する（ステップＨ１７）。
【００６０】
一方、表示部３３に表示された過去の検査結果の検査日から所定の期間が経過している場合や、過去の検査結果が今回の診断には適していない場合等には、改めて検査をし直す必要がある。ステップＨ１２において、検査予約を続行する場合（ステップＨ１２；ＹＥＳ）、すなわち、診療所Ａ内の端末装置３Ａにおいて、操作部３２から検査予約を続行する旨の指示が入力された場合には（「予約続行」ボタンが押下される等）、制御部３１により、通信部３４が制御され、検査予約続行要求が通信ネットワークＮを介して検査予約サーバ１に送信される（ステップＨ１４）。
【００６１】
検査予約サーバ１では、通信部１４により、端末装置３Ａから通信ネットワークＮを介して検査予約続行要求が受信されると、制御部１１により、ステップＨ２で端末装置３Ａから送信された検査予約情報に基づいて検査予約が検査ＤＢ１８に登録され、予約が完了した旨の通知が通信ネットワークＮを介して端末装置３Ａに送信される（ステップＨ１５）。登録された検査予約に係る検査予約情報は、制御部１１により、通信ネットワークＮを介して病院Ｂ（検査依頼先の医療施設）の病院内システム２Ｂに送信される。
【００６２】
診療所Ａ内の端末装置３Ａでは、通信部３４により、検査予約サーバ１から通信ネットワークＮを介して予約が完了した旨の通知が受信されると、制御部３１により、表示部３３に検査予約情報が表示される（ステップＨ１６）。診療所Ａの医師は、表示部３３に表示されている検査予約情報を確認し、その後、患者は帰宅する（ステップＨ１７）。
検査予約を続行した場合には、図５のステップＥ１〜Ｅ４、ステップＦ１〜Ｆ６の処理と同様の処理が行われる。
【００６３】
以上説明したように、他の医療施設における検査を予約する際に、検査予約サーバ１において、検査予約情報に含まれる患者及び検査条件と同一の患者及び検査条件に対応する検査結果が記憶されているか否かを判断し、同一の患者及び検査条件に対応する検査結果が記憶されている場合に、同一の患者及び検査条件に対応する検査結果が存在することを示す情報を検査予約サーバ１から検査依頼元の施設内システムに送信するので、検査依頼元の施設内システムにおいて、過去の検査結果を利用することができる。
検査予約サーバ１に同一の患者及び検査条件に対応する検査結果が記憶されている場合には、医師は過去の検査結果を参照した上で再検査を行う必要があるか否かを判断することができる。再検査が不要である場合には、前回の検査結果を参照することにより、診断に必要な材料が揃うので、無駄な検査を省略することができ、診断効率が上がる。また、患者の検査にかかる時間、手間、被爆を極力増やさずに済む。
【００６４】
なお、上記実施の形態における記述は、本発明に係る検査予約サーバ及び検査予約システムの例であり、これに限定されるものではない。システムを構成する各装置の細部構成及び細部動作に関しても本発明の趣旨を逸脱することのない範囲で適宜変更可能である。
【００６５】
例えば、各病院Ｂ，Ｃから診療所Ａに対して情報を公開するか否かを選択可能とし、診療所Ａに公開を許可している病院で行われた検査の結果のみを、過去の検査結果の検索対象としてもよい。
【００６６】
以上の説明では、各処理を実行するためのプログラムを格納したコンピュータ読み取り可能な媒体としてＨＤＤや不揮発性メモリを使用した例を開示したが、この例に限定されない。その他のコンピュータ読み取り可能な媒体として、ＣＤ−ＲＯＭ等の可搬型記録媒体を適用することも可能である。また、プログラムのデータを通信回線を介して提供する媒体として、キャリアウェーブ（搬送波）を適用することとしてもよい。
【符号の説明】
【００６７】
１  検査予約サーバ
２Ａ  診療所内システム
２Ｂ，２Ｃ  病院内システム
３Ａ，３Ｂ，３Ｃ  端末装置
４Ａ，４Ｂ，４Ｃ  施設内ネットワーク
５Ａ，５Ｂ，５Ｃ  ルータ
６Ｂ，６Ｃ  モダリティ
７Ｂ，７Ｃ  ＰＡＣＳ
１１  制御部
１２  操作部
１３  表示部
１４  通信部
１５  ＲＡＭ
１６  記憶部
１７  バス
１８  検査ＤＢ
３１  制御部
３２  操作部
３３  表示部
３４  通信部
３５  ＲＡＭ
３６  記憶部
３７  バス
１００  検査予約システム
Ｎ  通信ネットワーク
【図１】
2012089047.tif 000003
【図２】
2012089047.tif 000004
【図３】
2012089047.tif 000005
【図４】
2012089047.tif 000006
【図５】
2012089047.tif 000007
【図６】
2012089047.tif 000008
【図７】
2012089047.tif 000009